(57)【要約】【課題】本体操作部と画面表示部とが接続されて構成される携帯情報端末機器において、本体操作部と画面表示部との電力分配を制御可能にする。  同様に、本体操作部で使用する電力が不足したとき電力補充ができない。【解決手段】画面表示部２００で使用する電力が不足気味になったときには、本体操作部１００で使用している電力を画面表示部２００へ供給し、逆に、本体操作部１００で使用する電力が不足気味になったときには、画面表示部２００で使用する電力を本体表示部１００へ供給し、本携帯情報端末機器の電力分配を制御する。【選択図】図１
2006013663.tif 000002
【特許請求の範囲】
【請求項１】
複数の機能部を接続して構成した携帯情報端末機器において、
前記複数の機能部はそれぞれ、電源と、前記電源の電源制御手段を備え、
前記複数の機能部はそれぞれ、前記電源制御手段が検知した前記電源の電力容量の検知結果に基づき、他の前記機能部の前記電源と電気的に遮断する、あるいは、他の前記機能部の前記電源からの電力供給を受ける、あるいは、他の前記機能部の前記電源への電力補充を行うことを特徴とする携帯情報端末機器。
【請求項２】
本体操作部と画面表示部を接続して構成した携帯情報端末機器において、
前記本体操作部は、第１の電源と、前記第１の電源への充電制御を行う第１の電源制御手段と、前記第１の電源からの出力電圧を昇圧する第１の昇圧手段を備え、
前記画面表示部は、第２の電源と、前記第２の電源への充電制御をする第２の電源制御手段と、前記第２の電源からの出力電圧を昇圧する第２の昇圧手段を備え、
前記第１の電源の電力容量が第１の値以下になったことを第１の電源制御手段が検知した場合は、前記第２の電源から前記第２の昇圧手段を介して前記第１の電源へ電力が供給され、前記第２の電源の電力容量が第２の値以下になったことを第２の電源制御手段が検知した場合は、前記第１の電源から前記第１の昇圧手段を介して前記第２の電源へ電力が供給されることを特徴とする携帯情報端末機器。
【請求項３】
前記第２の電源から前記第１の電源へ電力が供給されている間のみ、前記第２の昇圧手段に電力を供給し、前記第１の電源から前記第２の電源へ電力が供給されている間のみ、前記第１の昇圧手段に電力を供給することを特徴とする請求項２に記載の携帯情報端末機器。
【請求項４】
前記複数の機能部の少なくとも一つは分離着脱が可能であり、かつ、分離した状態で保有電源に充電可能であることを特徴とする請求項１記載の携帯情報端末機器。
【請求項５】
前記本体操作部と前記画面表示部とは分離着脱可能であり、前記本体操作部にある前記第１の電源は、前記画面表示部から取外した状態で充電可能であり、前記画面表示部にある前記第２の電源は、前記本体操作部から取外した状態で充電可能であることを特徴とする請求項２記載の携帯情報端末機器。
【請求項６】
前記電源のうち少なくとも一つは二次電池であることを特徴とする請求項４、５記載の携帯情報端末機器。
【請求項７】
前記電源のうち少なくとも一つはキャパシタであることを特徴とする請求項４、５記載の携帯情報端末機器。
【発明の詳細な説明】
【技術分野】
【０００１】
本発明は、携帯情報端末機器等に使用される電源の制御に関するものである。
【背景技術】
【０００２】
近年、キー操作パネルを有する本体操作部とキー入力情報や映像情報を大型液晶画面に表示する画面表示部を有する折り畳み式携帯電話が数多く市場に出回っている。
【０００３】
このような携帯電話を使用する際、最も多く電力を消費するのは画面表示パネル（例えばカラー液晶表示部分）であり、携帯電話が有する二次電池（バッテリ）の消耗は、多くの場合この画面表示部の動作による。
【０００４】
ここで、画面表示部での電力消費を回復させるのには、携帯電話そのものをバッテリ充電器に接続する必要がある。この充電期間中は、原則として、携帯電話は使えない。少なくとも、充電器に携帯電話を接続した状態での使用になるので、使用者の行動範囲は著しく制限される。
【０００５】
しかし、このような場合でも、使用者は画面表示部の機能のみがあれば十分活用できるので、上記携帯電話の本体操作部と画面表示部が分離でき、画面操作部のみで動作できれば便利である。
【０００６】
かかる機能を実現するものとして、特許文献１に表示部脱着式電話機が開示されている。
【０００７】
図５に、従来の表示部脱着式電話機の基本構成図を示す。
【０００８】
図５において、電話機本体５０１は電話回線５０２との接続及び通話を行い、表示部５０３は情報を表示する。電話機本体５０１と表示部５０３は、電話機本体５０１に設けられた表示部接続手段５０４と電話機接続手段５０５とを介して互いに接続または分離可能なように構成される。
【０００９】
電話機本体には、以下の機能を有する。
【００１０】
電話機能部５０６は、電話回線５０２に対して接続及び通話を行う機能を備える。キー入力部５０７では、電話機機能部５０６を介して電話回線５０２に送出する接続情報と、電話機本体５０１及び表示部５０３に対する制御情報を入力する。記憶手段５０８は、表示部５０３に表示させる情報を記憶する。
【００１１】
制御手段５０９は、電話機機能部５０６を介した電話回線５０２の発着信接続制御と表示部５０３に対する情報転送制御を含む電話機本体５０１内の制御を行う。
【００１２】
電源部５１０は電話機本体５０１内部に電力を供給する。具体的には、例えば、商用電源から直流電圧に変換する装置である。
【００１３】
また、表示部５０３には、以下の機能を有する。
【００１４】
記憶媒体情報入力手段５１１は、外部の記憶媒体を装着してその記憶媒体に記憶された情報を入力する。表示手段５１２は、それぞれ記憶媒体情報入力手段５１１及び電話機本体５０１より入力される表示情報を画像として表示する。キー入力部５１３からは、表示手段５１２に表示される画像を制御する情報を入力する。
【００１５】
制御手段５１４は、キー入力５１３及び電話機本体５０１からの制御情報により表示手段５１２に表示情報を表示させる制御を行う。
【００１６】
電源部５１５は、表示部５０３内部に電力を供給する電池である。具体的には、例えば、交換可能な乾電池である。
【００１７】
電話機本体５０１と表示部５０３が接続された状態においては、表示部５０３にある表示手段５１２には、電話本体５０１にあるキー入力部５０７から入力された情報が表示され、使用者にとって送信情報がわかりやすくなる。また、受信情報も、表示手段５１２に表示され、誰から電話がかかってきたかが一目でわかる。
【００１８】
一方、電話機本体５０１と表示部５０３分離された状態においては、電話機本体５０１は通常の家庭内電話機と同様の機能を有する。また、表示部５０３は、記憶媒体情報入力部５１１にＩＣカードを挿入すると、制御手段５１４により、ＩＣカードに記憶された書籍の内容を表示手段５１２に表示することができる。キー入力部５１３を使って、使用者は書籍の内容をスクロールすることができる。
【００１９】
このように、電話機本体５０１から分離された表示部５０３は、それだけで電子ブックとして活用することができる。
【００２０】
以上より、上記従来の表示部脱着式電話機は、電話機本体と表示部が分離でき、表示部のみでも使用可能な便利な装置である。
【００２１】
なお、従来の表示部脱着式電話機の外観図を、図６に示す。
【特許文献１】特開平６−３１８９７１号公報（第５−６頁、図１、図２、図３）
【発明の開示】
【発明が解決しようとする課題】
【００２２】
しかしながら、上記従来の表示部脱着式電話機では、表示部５０３を電話機本体５０１と分離させて使用しているとき、内部に装着している電池５１５の電力がなくなると、電池自体を交換しなければならない。特に、連続して表示手段５１２を使用すると、その電力の消耗は激しい。また、電池交換を伴うので、その際、必ず電源を切る必要があり、連続して表示手段５１２を使用することはできない不便さがある。
【００２３】
さらに、電話機本体５０１は屋内据付用であり、携帯電話が発達した今日、表示部５０３と同様に電話機本体５０１も自由に持ち運びができれば、非常に便利である。
【００２４】
本発明は、上記従来の課題を解決するもので、本体操作部と画面表示部とが接続されて構成される携帯情報端末機器において、画面表示部で使用する電力が不足気味になったときには、本体操作部で使用している電力を画面表示部へ供給し、逆に、本体操作部で使用する電力が不足気味になったときには、画面表示部で使用する電力を本体表示部へ供給し、本携帯情報端末機器の電力分配を制御するシステムを提供することを目的とする。
【課題を解決するための手段】
【００２５】
前記従来の課題を解決するために、第１の本発明は、複数の機能部を接続して構成した携帯情報端末機器において、前記複数の機能部はそれぞれ、電源と、前記電源の電源制御手段を備え、前記複数の機能部はそれぞれ、前記電源制御手段が検知した前記電源の電力容量の検知結果に基づき、他の前記機能部の前記電源と電気的に遮断する、あるいは、他の前記機能部の前記電源からの電力供給を受ける、あるいは、他の前記機能部の前記電源への電力補充を行うことを特徴とする携帯情報端末機器である。
【００２６】
また、第２の本発明は、本体操作部と画面表示部を接続して構成した携帯情報端末機器において、前記本体操作部は、第１の電源と、前記第１の電源への充電制御を行う第１の電源制御手段と、前記第１の電源からの出力電圧を昇圧する第１の昇圧手段を備え、前記画面表示部は、第２の電源と、前記第２の電源への充電制御をする第２の電源制御手段と、前記第２の電源からの出力電圧を昇圧する第２の昇圧手段を備え、前記第１の電源の電力容量が第１の値以下になったことを第１の電源制御手段が検知した場合は、前記第２の電源から前記第２の昇圧手段を介して前記第１の電源へ電力が供給され、前記第２の電源の電力容量が第２の値以下になったことを第２の電源制御手段が検知した場合は、前記第１の電源から前記第１の昇圧手段を介して前記第２の電源へ電力が供給されることを特徴とする携帯情報端末機器である。
【００２７】
また、第３の本発明は、前記第２の電源から前記第１の電源へ電力が供給されている間のみ、前記第２の昇圧手段に電力を供給し、前記第１の電源から前記第２の電源へ電力が供給されている間のみ、前記第１の昇圧手段に電力を供給することを特徴とする第２の本発明の携帯情報端末機器である。
【００２８】
また、第４の本発明は、前記複数の機能部の少なくとも一つは分離着脱が可能であり、かつ、分離した状態で保有電源に充電可能であることを特徴とする第１の本発明の携帯情報端末機器である。
【００２９】
また、第５の本発明は、前記本体操作部と前記画面表示部とは分離着脱可能であり、前記本体操作部にある前記第１の電源は、前記画面表示部から取外した状態で充電可能であり、前記画面表示部にある前記第２の電源は、前記本体操作部から取外した状態で充電可能であることを特徴とする第２の本発明の携帯情報端末機器である。
【００３０】
また、第６の本発明は、前記電源のうち少なくとも一つは二次電池であることを特徴とする第４、５の本発明の携帯情報端末機器である。
【００３１】
また、第７の本発明は、前記電源のうち少なくとも一つはキャパシタであることを特徴とする第４、５の本発明の携帯情報端末機器である。
【発明の効果】
【００３２】
本発明の携帯情報端末機器によれば、本体操作部と画面表示部とが接続されて構成される携帯情報端末機器において、画面表示部で使用する電力が不足気味になったときには、本体操作部で使用している電力を画面表示部へ供給し、逆に、本体操作部で使用する電力が不足気味になったときには、画面表示部で使用する電力を本体表示部へ供給し、本携帯情報端末機器の電力分配を制御することができる。
【００３３】
さらに、他の独立した機能も連結して全体構成されている携帯機器に対しても、同様の携帯情報端末機器を適用し、効率的でユーザー個別の使用方法に対応することが可能となる。
【発明を実施するための最良の形態】
【００３４】
以下、本発明を実施するための最良の形態について、図面を参照しながら説明する。
【００３５】
（実施の形態１）
図１は、本発明の実施の形態１における携帯情報端末機器のブロック構成図である。
【００３６】
図１において、本体操作部１００は、電話番号のキー入力や音声通話等の通常の電話送受信機能を制御する本体操作信号処理部１０４と、この本体操作部信号処理部１０４のための電力を供給する第１の二次電池１０１と、その第１の二次電池の電力容量を計測する第1の電池制御手段１０２を有する。
【００３７】
また、画面表示部２００は、第３者から送られてきた画像情報や携帯電話に内蔵されているカメラで撮った画像情報等を表示手段（例えば、カラー液晶モニター）に表示する機能を制御する画面表示信号処理部２０４と、この画面表示部２０４のための電力を供給する第２の二次電池２０１と、その第２の二次電池の電力容量を計測する第２の電池制御手段２０２を有する。
【００３８】
通常、本体操作部１００と画面表示部２００は相互接続用コネクター１２０、１３０、２２０、２３０で接続されている。この実施例の場合、携帯電話の信号処理、通信制御に関するものは、コネクター１３０，２３０を介して接続され、電力供給に関するものはコネクター１２０、２２０を介して接続されている。
【００３９】
本体操作信号処理部１０４と画面表示信号処理部２０４とはコネクター１３０、２３０を介して情報交換をしている。特に、この情報交換において、第２の電池制御手段２０２(例えばマイコン)により計測された第２の二次電池２０１の電力容量情報が、画面表示信号処理部２０４及び本体操作信号処理部１０４を介して第１の電池制御手段１０２に伝達されることは、本発明における携帯情報端末には重要である。
【００４０】
なお、本体操作部と画面表示部は分離可能である。本体操作部１００にある第１の二次電池１０１と画面表示部２００にある第２の二次電池２０１とは別個独立しており、また、コネクター１３０，２３０が切り離されても、本体操作信号処理部１０４と画面表示信号処理部２０４とも別個独立した回路系として機能するからである。
【００４１】
但し、分離したことにより、携帯電話としての機能が制限されることは言うまでもない。例えば、本体操作部１００だけでも音声通話は可能であるが、画像情報を処理することはできない。また、画面表示部２００だけで、画面表示信号処理部２０４が有する画像情報を表示手段に画像表示して映像を鑑賞することは可能であるが、音声通話をすることはできない。
【００４２】
第１の二次電池１０１にも、第２の二次電池２０１にも十分な電力容量があれば、本体操作部１００も画面表示部２００も問題なく動作する。この状態で分離したり、接続したりしても、各二次電池１０１，２０１は別個独立して各部へ電源供給しているので、正常に機能する。
【００４３】
ここで、携帯電話使用者の使い方によって、携帯電話の各部の電力消費に偏りが生じるのは明らかである。
【００４４】
例えば、電話送受信ばかりしていると、本体操作部１００の消費電力が画面表示部２００での消費電力よりも大きくなる。逆に、画像情報を表示手段で映像を鑑賞し続けていると、画面表示部２００の消費電力の方が本体操作部１００での消費電力よりも大きくなってしまう。
【００４５】
一般に、画面表示部２００にて画面表示をし続ける状態が最も多く電力を消費しており、使用者は画面表示をし続けたくても、突然できなくなってしまうことが多い。
【００４６】
一つのバッテリで本体操作部１００も画面表示部２００も電源供給している場合は、画面表示ができなくなった時点でどうしようもなくなる。つまり、画面表示できないことは本体操作もできないことを意味するので、再起動するには外部から充電する以外に方法はない。
【００４７】
本発明の携帯情報端末においては、本体操作部１００及び画面表示部２００に各別個独立して第１の二次電池１０１及び第２の二次電池２０１を有しているので、かかる状態になっても電力供給を融通し合うことで、外部からの充電を必要とせず、今必要なブロックに電力供給をし続けることが可能となる。
【００４８】
以下、そのしくみについて、詳細に説明する。
【００４９】
（１）二次電池が保有する電力容量の測定について
図1において、第１の二次電池１０１の電力容量は第１の電池制御手段１０２により計測され、第２の二次電池２０１の電力容量は第２の電池制御手段２０２により計測される。
【００５０】
計測方法は共通なので、第２の二次電池２０１の電力容量の計測について説明する。
【００５１】
まず、第２の二次電池そのものの充放電特性を、あらかじめ実験等により掴んでおく。実験の方法としては、例えば、携帯電話として通常使用する場合の放電電流を特定し、時間経過に対して第２の二次電池の電圧変化を測定する。なお、フル充電時からの電圧変化であることに留意する。
【００５２】
図３（ａ）に、第２の二次電池からの出力電圧特性の一例を示す。
【００５３】
フル充電時の出力電圧をＶｃとし、時間経過につれて、出力電圧が降下していく様子がわかる。Ｖｔは、画面表示信号処理部２０４が動作する最低電圧を表す。すなわち、第２の二次電池２０１の出力電圧がＶｔになるまで、画面表示部２００にある画面表示信号処理部２０４は動作し続けることになる。
【００５４】
そして、この特性を第２の電池制御手段２０２にテーブルとしてあらかじめ設定しておく。第２の電池制御手段は、この特性を表すテーブルと実際の第２の二次電池２０１から出力される電圧とを参照し、携帯電話の延べ使用時間を計測する。
【００５５】
（２）電力供給方法について
画面表示部２００または本体操作部１００での電力不足を補充するために、さらに、以下の手段が用意されている。
【００５６】
すなわち、画面表示部２００には、第２の二次電池２０１の出力電圧を昇圧する第２の昇圧手段２０３がある。また、本体操作部１００は、第１の二次電地１０１の出力電圧を昇圧する第１の昇圧手段１０３と、これらの昇圧された電源が入力され適当な箇所へ切換えて出力される電源切換手段１０５(例えば、複数のリレー回路)を有する。
【００５７】
なお、ここでコネクター１１０から供給され得る第１の二次電池１０１及び第２の二次電池２０１の充電電力供給方法についても、併せて説明する。
【００５８】
電源切換手段１０５へ入力される電源端子で、第１の昇圧手段１０３から出力され電源切換端子１０５に入力される電源端子をＡ、第２の昇圧手段２０３から出力されコネクター２２０，１２０を介して電源切換手段１０５に入力される電源端子をＢ、コネクター１１０から電源切換手段１０５に入力される電源端子をＡｅ及びＢｅとする。
【００５９】
また、電源切換手段１０５から出力される電源端子で、第１の二次電池１０１へ出力される電源端子をａ、第２の二次電池２０１へ出力される電源端子をｂとする。
【００６０】
電源切換手段１０５での電源切換は、第１の電池制御手段１０２から出力される切換信号１０６により制御される。
【００６１】
電源端子Ａに加わる電圧値は、第２の二次電池２０１を充電することができる電圧値であり、電源端子Ｂに加わる電圧値は、第１の二次電池１０１を充電することができる電圧値である。また、電源端子Ａｅに加わる電圧値は、コネクター１１０を介して外部から第２の二次電池２０１を充電する場合の電圧値であり、電源端子Ｂｅに加わる電圧値は、コネクター１１０を介して外部から第１の二次電池１０１を充電する場合の電圧値である。
【００６２】
以上の構成において、各部の電力供給状態について場合を分けて説明する。
【００６３】
１）画面表示部２００にある第２の二次電池２０１の電力が不足気味になった場合
第２の電池制御手段２０２が、第２の二次電池２０１の電力が不足気味と検知する出力電圧をＶｄｅｔとする。この場合、Ｖｄｅｔは、第２の二次電池２０１が通常携帯電話を使用できる時間の８０％の電力をすでに消耗したことを意味する。
【００６４】
この情報は、コネクター２３０、１３０を介して伝達される信号として第１の電池制御手段１０２が受け取る。この情報を得た第１の電池制御手段１０２は、電源切換手段１０５を制御する。すなわち、今まで、電源端子Ａ，Ｂ，ａ，ｂ、Ａｅ，Ｂｅはお互いどの端子とも接続されていなかったが、この情報により、端子Ａと端子ｂが接続される。
【００６５】
この電源切換制御により、第１の昇圧手段１０３によって得られた第２の二次電池２０１を充電することができる電力が、電源端子ｂを介して第２の二次電池２０１に供給される。
【００６６】
図３（ｂ）に、電力供給を受けている第２の二次電池２０１の電圧変化を示す。
【００６７】
図３（ｂ）において、第２の二次電池２０１の出力電圧がＶｄｅｔになった後、第２の二次電池２０１への充電電圧Ｖｃが印加されていることがわかる。これが第１の昇圧手段１０３でつくられたものである。
【００６８】
なお、第２の二次電池２０１への充電電圧は、画面表示信号処理部２０４で使用可能な電圧以下でなければならない。かかる充電中も、画面表示部２００自体は動作を継続していることが多いからである。
【００６９】
しかしながら、第１の昇圧手段１０３１からの電力供給にも限界があるので、一定時間（この場合Ｔｃ）後には、この電力供給が停止される。停止するタイミングは、第１の電池制御手段１０２による。すなわち、本体操作部１００での動作可能電力を多少でも残しておくようにあらかじめ設定されていれば、時間Ｔｃは短縮されるであろうし、逆に、本体操作部１００の動作を全て犠牲にするならば、時間Ｔｃは最長となる。
【００７０】
電力供給停止後の出力電圧特性は、一般に急峻なカーブを描き、まもなく画面表示部２００の動作も停止する。しかし、第１の二次電池１０１から電力供給を全くしなかった場合と比較すると、時間Ｔｅだけ動作時間が延長されており、この携帯電話の使用者のニーズに応じて、外部からの充電なしに継続動作が可能である。
【００７１】
このような使い方は、外部充電手段がないが画像情報を表示手段で確認しながら取り込みたい等の緊急時に有効である。
【００７２】
２）本体操作部１００にある第１の二次電池１０１の電力が不足気味になった場合
上述した１）の場合の逆になる。
【００７３】
この場合、第１の二次電池１０１の電力が不足気味である情報は、第１の電池制御手段１０２が直接検知する。
【００７４】
この情報を検知した第１の電池制御手段１０２は、電源切換手段１０５を制御する。すなわち、今まで、電源端子Ａ，Ｂ，ａ，ｂ、Ａｅ，Ｂｅは、互いにどの端子とも接続されていなかったが、この情報により、端子Ｂと端子ａが接続される。
【００７５】
この電源切換制御により、第２の昇圧手段２０３によって得られた第１の二次電池１０１を充電することができる電力が、電源端子ａを介して第１の二次電池１０１に供給される。
【００７６】
このような使い方は、外部充電手段がないが引き続き音声通話をしたい等の緊急時に有効である。
【００７７】
なお、１）、２）の場合も電力不足気味の場合を想定して、電力供給切換タイミングを設定したが、このタイミングにこだわらず、手動で強制的に電力供給を開始する設定も可能である。
【００７８】
３）本体操作部１００が外部充電器の装着された場合
本体操作部１００にあるコネクター１１０に外部充電気が装着されたか否かは、コネクター１１０からの外部充電装着信号１０７が第１の電池制御手段１０２に検知されることにより認識される。
【００７９】
この場合、コネクター１１０を介して電源切換手段１０５の電源端子Ａｅ、Ｂｅに供給される電源の電圧値は、それぞれ第２の二次電池２０１を充電する場合の電圧値、第１の二次電池１０１を充電する場合の電圧値となる。
【００８０】
第１の電池制御手段１０２は、外部充電装着信号１０７の情報を受けて、今まで電源切換手段１０５の電源端子Ａ，Ｂ，ａ，ｂ、Ａｅ，Ｂｅはお互いどの端子とも接続されていなかったが、電源端子Ａｅが電源端子ｂと接続され、電源端子Ｂｅが電源端子ａと接続される。
【００８１】
これらの電源端子の接続により、本体操作部１００にあるコネクター１１０から第１の二次電池１０１及び第２の二次電池２０１への外部充電が可能となる。
【００８２】
なお、画面表示部２００が分離されていた場合には、第１の二次電池１０１のみの外部充電となる。また、画面表示部２００のコネクター２２０の電気ピン配列を考慮することにより、分離した画面表示部２００の第２の二次電池２０１のみを、直接コネクター２２０を介して外部充電器で充電することも可能である。
【００８３】
以上、１）〜３）までの条件に対する電源切換手段１０５の動作を整理すると、図４（ａ）のようになる。図４（ａ）において、例えば、第２の値の意味するものは、実験等により電力容量を電圧値に換算して得たＶｄｅｔである。
【００８４】
（実施の形態２）
図２は、本発明の実施の形態２における携帯情報端末のブロック構成図である。
【００８５】
図２において、図１と同じ構成要素については同じ符号を用い、説明を省略する。
【００８６】
図２と図１の違いは、第１の二次電池１０１からの第１の昇圧手段１０３への電力供給直前に第１の電力供給手段１４０（例えばスイッチング回路）を加えたことである。同様に、第２の二次電池２０１からの第２の昇圧手段２０３への電力供給直前に第２の電力供給手段２４０を加えている。
【００８７】
第１の電力供給手段１４０及び第２の電力供給手段２４０は、それぞれ第１の電池制御手段１０２及び第２の電池制御手段２０２により制御される。
【００８８】
すなわち、第１の電力供給手段１４０は、第１の電池制御手段１０２の指示により、画面表示部２００にある第２の二次電池２０１の電力が不足気味になった場合のみ作動し、第１の二次電池１０１の電力を第１の昇圧手段１０３に供給する。また、第２の電力供給手段２４０は、第２の電池制御手段２０２の指示により、本体操作部１００にある第１の二次電池１０１の電力が不足気味になった場合のみ作動し、第２の二次電池２０１の電力を第２の昇圧手段２０３に供給する。
【００８９】
通常の状態においても、第１の昇圧手段１０３及び第２の昇圧手段２０３を動作させると、その分無駄な消費電力が増えるからである。
【００９０】
上記第１の電力供給手段及び第２の電力供給手段を本発明の携帯情報端末に導入することにより、余分な消費電力が抑えられ、携帯電話の動作時間を長くすることができる。
【００９１】
以上の動作を整理すると、図４（ｂ）のようになる。図４（ｂ）において、例えば、第２の値の意味するものは、実験等により電力容量を電圧値に換算して得たＶｄｅｔである。
【００９２】
なお、上記実施の形態においては、独立な機能として画面表示部と本体操作部を取り上げたが、その他の独立な機能に対してその機能を効率よく駆動することに適した電源を有しており、本発明の携帯情報端末を適用することが出来る。さらに、他の独立な機能が分離着脱を行うことができて、本発明の携帯情報端末を適用することが出来る。
【００９３】
また、上記実施の形態においては、画面表示部と本体操作部の電源として二次電池を使用したが、電源としてキャパシタを使用しても構わない。さらに、上記した他の独立な機能に対してもキャパシタやその他の電源を用いることが出来る。
【産業上の利用可能性】
【００９４】
本発明にかかる携帯情報端末は、独立した機能が連結して全体構成されている機器、例えば本体操作部と画面表示部とが接続されて構成される携帯情報端末機器において、画面表示部で使用する電力が不足気味になったときには、本体操作部で使用している電力を画面表示部へ供給し、逆に、本体操作部で使用する電力が不足気味になったときには、画面表示部で使用する電力を本体表示部へ供給し、本携帯情報端末機器の電力分配を制御することができるので、携帯電話の分野に有用である。
【図面の簡単な説明】
【００９５】
【図１】本発明の実施の形態１における携帯情報端末のブロック構成図
【図２】本発明の実施の形態２における携帯情報端末のブロック構成図
【図３】本発明に使用する第２の二次電池からの出力電圧特性を示す図
【図４】本発明に使用する電源切換手段及び電力供給手段の動作を示す図
【図５】従来の表示部脱着式電話機の基本構成図
【図６】従来の表示部脱着式電話機の外観図
【符号の説明】
【００９６】
１００    本体操作部
１０１    第１の二次電池
１０２    第１の電池制御手段
１０３    第１の昇圧手段
１０４    本体操作信号処理部
１０５    電源切換手段
１０６    電源切換制御信号
１０７    外部充電装着信号
１４０    第１の電力供給手段
２００    画面表示部
２０１    第２の二次電池
２０２    第２の電池制御手段
２０３    第２の昇圧手段
２０４    画面表示信号処理部
２４０    第２の電力供給手段  
１１０，１２０，１３０，２２０，２３０    コネクター
Ａ    第１の昇圧手段からの電源端子
Ｂ    第２の昇圧手段からの電源端子
ａ    第１の二次電池への電源端子
ｂ    第２の二次電池への電源端子
Ａｅ，Ｂｅ    外部充電用電源端子
５０１    電話機本体
５０２    電話回線
５０３    表示部
５０４    表示部接続手段
５０５    電話機接続手段
５０６    電話機機能部
５０７，５１３    キー入力部
５０８    記憶手段
５０９，５１４    制御手段
５１０，５１５    電源部
５１１    記憶媒体情報入力手段
５１２    表示手段
【図１】
2006013663.tif 000003
【図２】
2006013663.tif 000004
【図３】
2006013663.tif 000005
【図４】
2006013663.tif 000006
【図５】
2006013663.tif 000007
【図６】
2006013663.tif 000008